(57)【要約】容器に取り付けられたスプリングレスポンプであって、該容器に収容される製品をポンピングするために用いられる。スプリングレスポンプは、少なくともプッシュヘッド（１１０）及び／又はピストンロッド（１５０）を備える可動部分と、少なくともヘリカルキャップ（１２０）を備える固定部分と、を含む。それは、可動部分に接続される伝動部材（１３０）と、固定部分に形成され又は固定接続される支持部材（１４０）と、を備える復帰機構を更に含み、伝動部材（１３０）は剛性を有するものであり、支持部材（１４０）に支持される。利用者はスプリングレスポンプを容易に復帰させることが可能である。【選択図】図１
2021503425.tif 000002
【特許請求の範囲】
【請求項１】
容器に取り付けられ、前記容器に収容される製品をポンピングするために用いられ、
少なくともプッシュヘッド及び／又はピストンロッドを備える可動部分と、
少なくともヘリカルキャップを備える固定部分と、
を含むスプリングレスポンプであって、
伝動部材と支持部材とを備える復帰機構を更に含み、
前記伝動部材は前記可動部分に接続され、
前記支持部材は前記固定部分に形成されるか又は固定接続され、且つ前記支持部材に支持されることを特徴とするスプリングレスポンプ。
【請求項２】
前記伝動部材は剛性を有するものであることを特徴とする請求項１に記載のスプリングレスポンプ。
【請求項３】
前記伝動部材は前記支持部材に回転可能又は枢動可能に支持されることを特徴とする請求項１に記載のスプリングレスポンプ。
【請求項４】
前記スプリングレスポンプはプッシュ式ポンプであり、
前記プッシュ式ポンプは前記プッシュヘッドと前記ピストンロッドを含み、
前記ピストンロッドは前記プッシュヘッドに接続され、
前記復帰機構の前記伝動部材は前記プッシュヘッド又は前記ピストンロッドに接続されることを特徴とする請求項１に記載のスプリングレスポンプ。
【請求項５】
前記伝動部材は、プレス板を含み、前記プレス板はその一端に位置し、前記プッシュヘッドに接合するプッシュヘッド嵌合部と、その他端に位置する押圧部と、を備え、
前記支持部材は支点部を含み、前記プレス板は前記支点部に回転可能に支持される枢動部を更に備えることを特徴とする請求項４に記載のスプリングレスポンプ。
【請求項６】
前記プッシュヘッド嵌合部はフォーク状を呈し、前記フォーク状の二つのアームは両側から前記プッシュヘッドのネック部をクランプし、
及び／又は
前記固定部分はシリンダーヘッドを更に含み、前記支持部材は前記ヘリカルキャップと前記シリンダーヘッドの間に係止されるリング状の固定部を更に含むことを特徴とする請求項５に記載のスプリングレスポンプ。
【請求項７】
前記プッシュヘッド嵌合部は前記プッシュヘッドの頂部に接続されることを特徴とする請求項５に記載のスプリングレスポンプ。
【請求項８】
前記プッシュ式ポンプはダブルチャンバーポンプであり、二つの前記プッシュヘッド、すなわち、第１プッシュヘッドと第２プッシュヘッドを含み、前記ヘリカルキャップの頂部には、前記第１プッシュヘッドと前記第２プッシュヘッドがそれぞれ取り付けられる二つの取り付け孔が形成されることを特徴とする請求項４に記載のスプリングレスポンプ。
【請求項９】
前記伝動部材は、
枢動部と、前記枢動部の両側に位置する第１プッシュヘッド嵌合部と第２プッシュヘッド嵌合部と、を備えるプレス板を含み、
前記第１プッシュヘッド嵌合部は前記第１プッシュヘッド又は前記第１プッシュヘッドに接続される第１ピストンロッドに接続され、
前記第２プッシュヘッド嵌合部は前記第２プッシュヘッド又は前記第２プッシュヘッドに接続される第２ピストンロッドに接続され、
前記支持部材は、
前記ヘリカルキャップの前記頂部に形成される支点部を含み、前記支点部は二つの前記取り付け孔の間に位置し、
前記プレス板の前記枢動部は前記支点部に回転可能に嵌合することを特徴とする請求項８に記載のスプリングレスポンプ。
【請求項１０】
前記第１プッシュヘッドと前記第２プッシュヘッドの頂部にはそれぞれ支持ロッドが形成され、
前記第１プッシュヘッド嵌合部には、前記第１プッシュヘッドにおける前記支持ロッドに接続される第１接続点が形成され、
前記第２プッシュヘッド嵌合部には、前記第２プッシュヘッドにおける前記支持ロッドに接続される第２接続点が形成されることを特徴とする請求項９に記載のスプリングレスポンプ。
【請求項１１】
前記プッシュ式ポンプを操作していない時、
前記第１プッシュヘッドのネック部及び／又は前記第２プッシュヘッドのネック部に係止されることによって、前記第１プッシュヘッド及び／又は前記第２プッシュヘッドの下方への移動を阻止する留め具を更に含むことを特徴とする請求項９に記載のスプリングレスポンプ。
【請求項１２】
前記プレス板は着脱可能であり、前記留め具は前記プレス板に一体化されることを特徴とする請求項１１に記載のスプリングレスポンプ。
【請求項１３】
前記伝動部材はリンクを含み、
前記リンクの第１端には少なくとも一つの第１開口が設置され、
前記第１プッシュヘッドには第１ピストンロッドが接続され、前記第１ピストンロッドの外周壁には少なくとも一つの第１ボスが形成され、前記第１開口は前記第１ボスに嵌合され、
前記リンクの第２端には少なくとも一つの第２開口が設置され、
前記第２プッシュヘッドには第２ピストンロッドが接続され、前記第２ピストンロッドの外周壁には少なくとも一つの第２ボスが形成され、前記第２開口は前記第２ボスに嵌合され、
前記リンクの前記第１端と前記第２端の間には枢動部が形成され、
前記支持部材は前記ヘリカルキャップの前記頂部に形成されて二つの前記取り付け孔の間に位置する支点部を含み、前記リンクの前記枢動部は前記支点部に回転可能に嵌合することを特徴とする請求項８に記載のスプリングレスポンプ。
【請求項１４】
前記伝動部材は歯車列を含み、前記支持部材は前記ヘリカルキャップの前記頂部に形成される歯車取り付け部を含み、
前記歯車列は、
歯車取り付け部に回転可能に取り付けられる歯車と、
前記第１プッシュヘッドに接続される第１ピストンロッドに形成され、前記歯車の一方側に噛み合う第１ラックと、
前記第２プッシュヘッドに接続される第２ピストンロッドに形成され、前記歯車の他方側に噛み合う第２ラックと、
を含むことを特徴とする請求項８に記載のスプリングレスポンプ。
【請求項１５】
前記支点部は前記ヘリカルキャップに形成されるか、又は
前記支点部は前記ヘリカルキャップと前記容器の間にクランプされて固定されるか、又は
前記支点部は前記容器に形成されることを特徴とする請求項５又は９に記載のスプリングレスポンプ。
【請求項１６】
前記支点部のロッド部分は折り畳み可能であり、
第１セグメントと第２セグメントを含み、前記第１セグメントは第１位置と第２位置の間で切り替えることができ、
前記第１位置において、前記第１セグメントは前記第２セグメントに折り畳まれ、
前記第２位置において、前記第１セグメントは前記第２セグメントに整列して一直線状となることを特徴とする請求項５又は９に記載のスプリングレスポンプ。
【請求項１７】
前記支点部は、スリーブと、ラチェットロッドと、を含み、
前記ラチェットロッドは、一端が前記プレス板に接続され、他端がラチェットを備え、且つ前記スリーブに摺動可能に収容されることを特徴とする請求項５又は９に記載のスプリングレスポンプ。
【請求項１８】
前記伝動部材は回転復帰部材を含み、
前記回転復帰部材は操作部と前記回転復帰部材の本体から懸架される少なくとも一つの当接部を含み、前記当接部の自由端には傾斜面が形成され、
前記支持部材は前記ヘリカルキャップのネック部に形成され、前記当接部の前記傾斜面に係合する係合用傾斜面を含むことを特徴とする請求項４に記載のスプリングレスポンプ。
【請求項１９】
トリガー式ポンプであり、
前記固定部分はヘリカルキャップと、ヘリカルキャップに形成されるか又は取り付けられるシリンダーを含み、
前記可動部分は前記シリンダーに往復動可能に収容されるピストンロッドと、第１端が前記ピストンロッドに接続され、第２端が自由端であるトリガーとを含み、
前記支持部材は前記固定部分に形成される支点部であり、
前記トリガーは前記第１端と前記第２端の間における中間点において前記支点部に回転可能に接続されることによって、前記トリガーの前記中間点と前記第２端の間の部分で前記復帰機構の前記伝動部分が構成されることを特徴とする請求項１に記載のスプリングレスポンプ。
【請求項２０】
前記支点部には更にストッパーが形成されることを特徴とする請求項１９に記載のスプリングレスポンプ。
【請求項２１】
容器であって、請求項１〜２０のいずれか一項に記載のスプリングレスポンプを含むことを特徴とする容器。
【請求項２２】
容器であって、ダブルチャンバー容器であり且つ請求項８〜１４のいずれか一項に記載のスプリングレスポンプを備え、
前記容器は前記スプリングレスポンプを被覆するためのポンプハウジングを更に含み、前記ポンプハウジングの頂部は階段状を呈し、
高さが前記第１プッシュヘッドと前記第２プッシュヘッドのうちの一方のストロークの上死点に対応する比較的高い上面と、
高さが前記第１プッシュヘッドと前記第２プッシュヘッドのうちの他方のストロークの下死点に対応する比較的低い上面を含むことを特徴とする容器。
【発明の詳細な説明】
【技術分野】
【０００１】
本発明は、ポンプに関し、特にスプリングレスポンプに関する。本発明は、更に、スプリングレスポンプを備える容器を設計する。
【背景技術】
【０００２】
例えば、洗濯用製品の分野において、一般的には、製品を収容する容器は製品を分注するためのポンプを備える。一般的には、製品を分注するためのポンプにはプッシュ式ポンプとトリガー式ポンプが含まれ、利用者はポンプのプッシュヘッド（プッシュ式ポンプの場合）又はトリガー（トリガー式ポンプの場合）に付勢力を加えることで製品をポンピングし、製品を１回、ポンピングした後、ポンプに取り付けられた復帰機構によってアクチュエータをそれが押圧されていない時の位置まで復帰させ、次回のポンピングに備える。
【０００３】
一般的なポンプは金属製バネによって該ポンプの復帰を実現する。環境保護の要求がますます高くなり、ポンプの製造コストの削減を期待することに応えて、スプリングレスポンプという概念を提案した。
【０００４】
図４２〜４３ｂには従来のスプリングレスプッシュ式ポンプ１を示す。図４３ａと４３ｂの断面図に示されるように、プッシュ式ポンプ１はプッシュヘッド１０と、プッシュヘッド１０に接続されてシリンダー４０の内部に延伸するピストンロッド２０と、ヘリカルキャップ３０と、シリンダー４０と、を含み、前記ヘリカルキャップ３０はシリンダー４０に接続される。図から分かるように、プッシュ式ポンプ１において金属製バネのような復帰機構を省略する。押圧後にプッシュ式ポンプ１のプッシュヘッド１０を復帰させるために、プッシュヘッド１０には突片１１が設置され（図４２を参照）、突片１１の下方に上向きの力を加えることで、プッシュヘッド１０を上方に復帰させることができる。
【０００５】
図４４ａと４４ｂは別の態様のスプリングレスプッシュ式ポンプ１’を示す。例えば、図４４ｂの断面図から明瞭に分かるように、該プッシュ式ポンプは単にバネを省略した。プッシュヘッド１０’を押圧して製品を分注した後、利用者は上方へプッシュヘッド１０’を引き上げることで、復帰を実現する。
【発明の概要】
【発明が解決しようとする課題】
【０００６】
上記に開示された従来のスプリングレスプッシュ式ポンプに対し、プッシュヘッドを上方へ引き上げる過程において、利用者はもう一つの手で製品を収容している容器又はプッシュ式ポンプの他の部分を押圧しなければならず、一方、片手でプッシュヘッドを引き上げると、容器全体を引き上げやすくなる。これにより、従来技術におけるスプリングレスプッシュ式ポンプは使い勝手が悪い。同様に、トリガー式ポンプにも類似の問題がある。
【０００７】
そのため、従来技術における上記のような使い勝手が悪いという問題を解決するために、スプリングレスポンプへの改良が必要である。
【課題を解決するための手段】
【０００８】
本発明は、上記従来技術における技術的問題に基づいてなされたものであり、その目的は改良型スプリングレスポンプを提供することであり、該スプリングレスポンプは片手で操作可能であり、使用しやすく、そして一般的な使用習慣を満たす。
【０００９】
本発明は、改良型スプリングレスポンプを提供し、該スプリングレスポンプは、容器に取り付けられ、該容器に収容される製品をポンピングするために用いられるものであり、
少なくともプッシュヘッド及び／又はピストンロッドを備える可動部分と、
少なくともヘリカルキャップを備える固定部分と、を含み、
該スプリングレスポンプは、可動部分に接続される伝動部材と、固定部分に形成され又は固定接続される支持部材と、を備える復帰機構を更に含み、伝動部分は剛性を有し、支持部材に支持される。
【００１０】
上記構造を有するスプリングレスポンプにおいて、復帰機構を設置することによって、利用者はポンプに対してポンピング操作を行って製品を分注した後、復帰機構を容易に操作でき、該ポンプを復帰させ、次回の操作に備える。且つ、復帰機構を設置することでバネを省略したため、該スプリングレスポンプに対する操作が楽になる。
【００１１】
好ましくは、該伝動部分は剛性を有する部材であるため、利用者は該伝動部材を操作する時、利用者が加えた付勢力をより効率的に伝達することができ、それによってスプリングレスポンプに対する操作が更に楽になる。
【００１２】
好ましくは、伝動部分は支持部材に回転可能又は枢動可能に支持される。これにより、伝動部分の回転又は枢動運動によって、例えば、プッシュヘッド又はピストンロッドの可動部分をより効果的に復帰させることができる。
【００１３】
該スプリングレスポンプの１つのタイプはプッシュ式ポンプであり、プッシュヘッドと、ピストンロッドを含み、ピストンロッドはプッシュヘッドに接続され、復帰機構の伝動部材はプッシュヘッド又はピストンロッドに接続される。
【００１４】
更に、一つの具体的な実施形態において、伝動部材はプレス板を含み、プレス板は、プレス板の一端に位置し、プッシュヘッドに接合されるプッシュヘッド嵌合部と、プレス板の他端に位置する押圧部とを含み、支持部材は支点部を含み、プレス板は支点部に回転可能に支持される枢動部を更に備える。
【００１５】
これにより、プレス板によって、該プレス板の一端を押圧することでプッシュ式ポンプを容易に復帰させることができる。
【００１６】
更に、該プレス板のプッシュヘッド嵌合部はフォーク状を呈し、フォーク状の二つのアームは両側からプッシュヘッドのネック部をクランプすること、固定部分はシリンダーヘッドを更に含み、支持部材はヘリカルキャップとシリンダーヘッドの間に係止されるリング状の固定部を更に含むことのうちの少なくとも一つを含む。
【００１７】
又は、プッシュヘッド嵌合部はプッシュヘッドの頂部に接続されてよい。
【００１８】
別の具体的な実施形態において、スプリングレスポンプはダブルチャンバーポンプであり、ダブルチャンバーを備える容器に適用され、該ダブルチャンバーポンプは、二つのプッシュヘッド、すなわち、第１プッシュヘッドと第２プッシュヘッドを含み、ヘリカルキャップの頂部には、第１プッシュヘッドと第２プッシュヘッドがそれぞれ取り付けられる二つの取り付け孔が形成される。
【００１９】
好ましくは、該ダブルチャンバー型のスプリングレスポンプにおいて、伝動部材は、枢動部と、枢動部の両側に位置する第１プッシュヘッド嵌合部と第２プッシュヘッド嵌合部とを備えるプレス板を含み、第１プッシュヘッド嵌合部は第１プッシュヘッド又は第１プッシュヘッドに接続される第１ピストンロッドに接続され、第２プッシュヘッド嵌合部は第２プッシュヘッド又は第２プッシュヘッドに接続される第２ピストンロッドに接続され、
支持部材は、ヘリカルキャップの頂部に形成されて二つの取り付け孔の間に位置する支点部を含み、プレス板の枢動部は支点部に回転可能に嵌合される。
【００２０】
更に、第１プッシュヘッドと第２プッシュヘッドの頂部にはそれぞれ支持ロッドが形成され、第１プッシュヘッド嵌合部には、第１プッシュヘッドにおける支持ロッドに接続される第１接続点が形成され、第２プッシュヘッド嵌合部には、第２プッシュヘッドにおける支持ロッドに接続される第２接続点が形成される。
【００２１】
更に好ましくは、留め具を更に含み、スプリングレスポンプを操作していない時、留め具は第１プッシュヘッドのネック部及び／又は第２プッシュヘッドのネック部に係止することによって、第１プッシュヘッド及び／又は第２プッシュヘッドの下方への移動を阻止する。具体的な構成において、プレス板は着脱可能であり、留め具はプレス板に一体化される。
【００２２】
又は、ダブルチャンバーポンプの場合に、伝動部材はリンクであり、該リンクの構造は、第１端には少なくとも一つの第１開口が設置され、第１プッシュヘッドには第１ピストンロッドが接続され、第１ピストンロッドの外周壁には少なくとも一つの第１ボスが形成され、第１開口が第１ボスに嵌合され、
リンクの第２端には少なくとも一つの第２開口が設置され、第２プッシュヘッドには第２ピストンロッドが接続され、第２ピストンロッドの外周壁には少なくとも一つの第２ボスが形成され、第２開口が第２ボスに嵌合され、
リンクの第１端と第２端の間には枢動部が形成され、支持部材はヘリカルキャップの頂部に形成される支点部を含み、支点部は二つの取り付け孔の間に位置し、リンクの枢動部は支点部に回転可能に嵌合されることである。
【００２３】
別の具体的な構成において、伝動部材は歯車列を含み、支持部材はヘリカルキャップの頂部に形成される歯車取り付け部を含み、前記歯車列は、
歯車取り付け部に回転可能に取り付けられる歯車と、
第１プッシュヘッドに接続される第１ピストンロッドに形成され、歯車の片側に噛み合う第１ラックと、
第２プッシュヘッドに接続される第２ピストンロッドに形成され、歯車の他方側に噛み合う第２ラックと、を含む。
【００２４】
復帰機構の伝動部材がプレス板の場合に、支点部は、ヘリカルキャップに形成されるか、又は、ヘリカルキャップと容器の間にクランプされて固定されるか、又は、容器に形成されるという態様のいずれか一つであってもよい。
【００２５】
更に、上述した支点部のロッド部分は折り畳み可能であり、第１セグメントと第２セグメントを含み、該第１セグメントは第１位置と第２位置の間で切り替えることができ、第１位置において、第１セグメントは第２セグメントに折り畳まれ、第２位置において、第１セグメントは第２セグメントに整列して一直線状となる。これにより、貯蔵及び輸送の過程において、支点部のロッド部分は折り畳み状態にしてもよく、それによってプッシュヘッドを押下状態にすることが可能であり、貯蔵及び輸送が容易となる。
【００２６】
又は、貯蔵及び輸送を容易にするために、支点部はスリーブと、一端がプレス板に接続され、他端がラチェットを備え、且つスリーブに摺動可能に収容されるラチェットロッドを含むという構成を用いてもよい。
【００２７】
他の実施例において、伝動部材は回転復帰部材を含み、回転復帰部材は操作部と回転復帰部材の本体から懸架される少なくとも一つの当接部を含み、当接部の自由端には傾斜面が形成され、それに合わせて、支持部材はヘリカルキャップのネック部に形成される係合用傾斜面を含み、係合用傾斜面は当接部の傾斜面に合わせる。当接部の傾斜面がヘリカルキャップのネック部における係合用傾斜面に係合することによって、操作部を操作して回転復帰部材を一つの方向へ回転させるとき、回転復帰部材を上昇させて、プッシュヘッドを持ち上げて復帰させることができる。
【００２８】
スプリングレスポンプのもう一つのタイプはトリガー式ポンプであり、固定部分はヘリカルキャップとヘリカルキャップに形成されるか、または取り付けられるシリンダーを含み、可動部分はシリンダーに往復動可能に収容されるピストンロッドと、第１端がピストンロッドに接続され、第２端が自由端であるトリガーを含む。支持部材は固定部分に形成される支点部であり、トリガーは第１端と第２端の間における中間点において支点部に回転可能に接続され、それによりトリガーの中間点と第２端の間の部分で復帰機構の伝動部分が構成される。
【００２９】
この構造により、利用者はトリガーの第１端と第２端を交互に押圧することで製品のポンピング及びポンピング済みのポンプの復帰を容易に実現することができる。
【００３０】
好ましくは、支点部には更にストッパーが形成され、該ストッパーはポンプを復帰させる時にトリガーの移動範囲を制限して、戻り過ぎを防止することができる。
【００３１】
本発明は更に、容器に関し、該容器は上記のようなスプリングレスポンプを含む。
【００３２】
更に、容器はダブルチャンバー容器であり、上記のようなダブルチャンバー型のスプリングレスポンプを含み、該容器は、スプリングレスポンプを被覆するためのポンプハウジングを更に含み、ポンプハウジングの頂部は階段状を呈し、高さが第１プッシュヘッドと第２プッシュヘッドのうちの一つのストロークの上死点に対応する比較的高い上面と、高さが第１プッシュヘッドと第２プッシュヘッドにおける他のストロークの下死点に対応する比較的低い上面を含む。
【図面の簡単な説明】
【００３３】
【図１】プッシュ式ポンプであり、そのプッシュヘッドが押圧状態にある本発明の実施例１のポンプの側面図である。
【図２】プッシュヘッドが復帰状態にある図１に示されるプッシュ式ポンプの他の側面図である。
【図３】図１と図２に示されるプッシュ式ポンプの斜視図である。
【図４】図１に示されるプッシュ式ポンプにおける支持部材の斜視図である。
【図５ａ】図１に示されるプッシュ式ポンプにおけるプレス板の斜視図である。
【図５ｂ】図５ａに示されるプレス板の下面図である。
【図６】図１に示されるプッシュ式ポンプのプッシュヘッドの側面図である。
【図７】プッシュ式ポンプである本発明の実施例２のポンプの破断側面図である。
【図８】ダブルチャンバー型のプッシュ式ポンプである本発明の実施例３のポンプの正面図である。
【図９】図８に示されるダブルチャンバー型のプッシュ式ポンプの斜視図である。
【図１０】実施例３のプッシュ式ポンプが対応するダブルチャンバー容器に取り付けられる時の断面図である。
【図１１ａ】図８に示されるプッシュ式ポンプにおけるプレス板の断面図である。
【図１１ｂ】図１１ａに示されるプレス板の斜視図である。
【図１２ａ】図８に示されるプッシュ式ポンプの第１プッシュヘッドの断面図である。
【図１２ｂ】図１２ａに示される第１プッシュヘッドの斜視図である。
【図１３】図８に示されるプッシュ式ポンプに用いられる留め具の斜視図である。
【図１４ａ】図８に示されるプッシュ式ポンプのヘリカルキャップの断面図である。
【図１４ｂ】図１４ａに示されるヘリカルキャップの斜視図である。
【図１５ａ】図８に示されるプッシュ式ポンプが取り付けられるダブルチャンバー容器の斜視図である。
【図１５ｂ】図１５ａに示されるダブルチャンバー容器の分解斜視図である。
【図１６ａ】ダブルチャンバー型のプッシュ式ポンプである本発明の実施例４のポンプの斜視図である。
【図１６ｂ】図１６ａに示されるプッシュ式ポンプの別の斜視図である。
【図１７ａ】図１６ａに示されるプッシュ式ポンプにおけるプレス板の斜視図である。
【図１７ｂ】図１７ａに示されるプレス板の他の斜視図である。
【図１８】ダブルチャンバー型のプッシュ式ポンプである本発明の実施例５のポンプの斜視図である。
【図１９】図１８に示される実施例５のプッシュ式ポンプが対応するダブルチャンバー容器に取り付けられる時の断面図である。
【図２０ａ】図１８に示されるプッシュ式ポンプにおけるプレス板の断面図である。
【図２０ｂ】図２０ａに示されるプレス板の斜視図である。
【図２１ａ】図１８に示されるプッシュ式ポンプにおける第１ピストンロッドの断面図である。
【図２１ｂ】図２１ａに示される第１ピストンロッドの斜視図である。
【図２２ａ】図１８に示されるプッシュ式ポンプのヘリカルキャップの断面図である。
【図２２ｂ】図２２ａに示されるヘリカルキャップの斜視図である。
【図２３ａ】ダブルチャンバー型のプッシュ式ポンプの態様である本発明の実施例６のポンプの正面図である。
【図２３ｂ】図２３ａに示されるプッシュ式ポンプの斜視図である。
【図２４】図２３ａに示される実施例６のプッシュ式ポンプが対応するダブルチャンバー容器に取り付けられる時の断面図である。
【図２５ａ】実施例６のプッシュ式ポンプに使用される歯車の正面図である。
【図２５ｂ】実施例６のプッシュ式ポンプに使用される歯車の断面図である。
【図２５ｃ】実施例６のプッシュ式ポンプに使用される歯車の斜視図である。
【図２６ａ】実施例６のプッシュ式ポンプの第１ピストンロッドの正面図である。
【図２６ｂ】実施例６のプッシュ式ポンプの第１ピストンロッドの断面図である。
【図２６ｃ】実施例６のプッシュ式ポンプの第１ピストンロッドの斜視図である。
【図２７ａ】図２４に示される容器のポンプハウジングの斜視図である。
【図２７ｂ】図２７ａに示されるポンプハウジングの断面図である。
【図２８ａ】実施例６のプッシュ式ポンプのヘリカルキャップの断面図である。
【図２８ｂ】図２８ａに示されるヘリカルキャップの斜視図である。
【図２９】支点部がヘリカルキャップと容器の間にクランプされる本発明の実施例７のポンプの断面図である。
【図３０】支点部が容器に形成される実施例７のポンプの別の態様の断面図である。
【図３１】支点部が折り畳み可能である実施例７のポンプの別の態様の断面図である。
【図３２ａ】図３１に示されるポンプにおける折り畳み可能な支点部の斜視図である。
【図３２ｂ】折り畳み状態にある支点部の正面図である。
【図３２ｃ】伸張状態にある支点部の別の正面図である。
【図３３】単一チャンバーポンプであり、支点部がヘリカルキャップと容器の間にクランプされる実施例７のポンプの変形例を示す断面図である。
【図３４】支点部が容器に形成される図３３に示されるポンプの別の態様を示す。
【図３５ａ】単一チャンバーポンプであり、支点部が折り畳み可能で伸張状態にある実施例７のポンプの別の変形例を示す断面図である。
【図３５ｂ】支点部が折り畳み状態にある図３５ａに示されるポンプの他の断面図である。
【図３６ａ】支点部が伸縮可能で収縮状態にある本発明の実施例８のポンプの断面図である。
【図３６ｂ】支点部が伸張状態にある本発明の実施例８のポンプの別の断面図である。
【図３７ａ】収縮状態にある支点部を示す。
【図３７ｂ】伸張状態にある支点部を示す。
【図３８ａ】押圧状態にある本発明の実施例９のポンプの側面図である。
【図３８ｂ】復帰状態にある図３８ａに示されるポンプの別の側面図である。
【図３９ａ】実施例９のポンプの回転復帰部材の上面図である。
【図３９ｂ】実施例９のポンプの回転復帰部材の側面図である。
【図３９ｃ】実施例９のポンプの回転復帰部材の斜視図である。
【図４０ａ】実施例９のポンプのヘリカルキャップの側面図である。
【図４０ｂ】図４０ａに示されるヘリカルキャップの別の側面図である。
【図４０ｃ】図４０ａに示されるヘリカルキャップの上面図である。
【図４０ｄ】図４０ａに示されるヘリカルキャップの斜視図である。
【図４１ａ】トリガー式ポンプであり、ポンピング状態にある本発明の実施例１０のポンプの一部の破断側面図である。
【図４１ｂ】復帰状態にある図４１ａに示されるポンプの他の部分の破断側面図である。
【図４２】従来技術におけるプッシュ式ポンプ及び該プッシュ式ポンプが取り付けられる容器の側面図である。
【図４３ａ】押下された状態にある図４２に示されるプッシュ式ポンプの断面図である。
【図４３ｂ】復帰状態にある図４２に示されるプッシュ式ポンプの別の断面図である。
【図４４ａ】別の従来技術におけるプッシュ式ポンプの側面図である。
【図４４ｂ】図４４ａに示されるプッシュ式ポンプの断面図である。
【発明を実施するための形態】
【００３４】
本発明の理解を容易にするために、以下、図面を参照しながら本発明の具体的な実施例を説明する。ただし、図面に示されるものは本発明の好ましい実施例に過ぎず、本発明の範囲を限定するものではないことを理解されたい。当業者は、図面に示される実施例に基づいて本発明に対して多様な自明の変更、変形、均等物による置換が可能であり、そして、互いに矛盾しない限り、以下に記載される様々な実施例中の技術的特徴は任意に組み合わせることができ、これらはいずれも本発明の保護範囲に含まれるべきである。
【００３５】
［実施例１］
図１〜６は本発明の実施例１のプッシュ式ポンプ１００を示し、プッシュ式ポンプ１００は可動部分と固定部分を含み、前記可動部分は例えば、プッシュヘッド１１０とプッシュヘッド１１０に接続されるピストンロッド１５０などの部品を含み、固定部分は例えば、ヘリカルキャップ１２０、シリンダー、シリンダーヘッド１６０などの部品を含む。
【００３６】
更に、実施例１のプッシュ式ポンプ１００にはプレス板１３０が設置され、図５ａと図５ｂに示されるように、プレス板１３０は枢動部１３１、枢動部１３１の片側にあるプッシュヘッド嵌合部１３２及び枢動部１３１の他方側にある押圧部１３３を含む。図３に示されるように、プッシュヘッド嵌合部１３２はプッシュヘッド１１０に接続され、図に示される好ましい構造において、プッシュヘッド嵌合部１３２はフォーク状であり、取り付け済みの状態で、フォーク状の二つのアームは両側からプッシュヘッド１１０のプッシュヘッドネック部１１１をクランプする。押圧部１３３はプレス板１３０の自由端であり、利用者は押圧部１３３に押圧力を加えることによって、押圧部１３３を下方へ移動させることができる。又は、フォーク状の二つのアームはプッシュヘッド１１０に接続されるピストンロッド（図示せず）の両側にクランプされてもよい。
【００３７】
図から分かるように、利用者は押圧部１３３に押圧力を加えて又はプッシュヘッドを介してプッシュヘッド嵌合部１３２に下向きの圧力を加える時、プレス板１３０は枢動部１３１を中心として枢動することができる。好ましくは、プレス板１３０は剛性構造であり、該剛性構造は利用者が加えた圧力をより効率的に伝達することに役立ち、それによって利用者はより効率的に操作することができる。更に、プレス板１３０をより効率的に操作するために、プレス板１３０に加える圧力はプレス板１３０に略垂直となることが好ましい。
【００３８】
プレス板１３０に支点を提供するために、プッシュ式ポンプ１００の固定部分には支持部材１４０が設置される。図４は支持部材１４０の斜視図を示し、支持部材１４０は支点部１４１と固定部１４２を含む。プレス板１３０の枢動部１３１は支点部１４１に接続されることで、プレス板１３０は枢動部１３１を中心として枢動することができる。固定部１４２はプッシュ式ポンプ１００の固定部分に固定接続され、図中に示す構造において、固定部１４２は部分的リング状を呈し、図に示すようにヘリカルキャップ１２０とシリンダーヘッド１６０の間の隙間に係止される。
【００３９】
当然ながら、支持部材１４０は他の方式でプッシュ式ポンプ１００の固定部分に形成されてプレス板１３０に支点を提供してもよい。例えば、固定部１４２はプッシュ式ポンプ１００の固定部分に溶接されてよく、固定部１４２も必ずしも部分的リング状を呈する必要はない。且つ、図に示されるヘリカルキャップ１２０のほかに、固定部１４２は固定部分の他の部品に固定されてもよく、例えば、シリンダーヘッドなどに固定されてよい。更に、固定部１４２を省略し、プレス板１３０の枢動部１３１を支持するために、プッシュ式ポンプ１００の固定部分に支点部１４１を一体的に形成してもよい。
【００４０】
以下、上記の構造を有するプッシュ式ポンプ１００の操作原理を詳細に説明する。
【００４１】
プッシュ式ポンプ１００が取り付けられた容器における製品を使用しようとする時、利用者はプッシュヘッド１１０を押圧して、製品を分注する。その後、プッシュヘッド１１０を復帰させる場合、利用者はプレス板１３０の押圧部１３３を押圧するだけで、押圧部１３３を下方へ移動させ、これによってプレス板１３０を、枢動部１３１を中心として枢動させ、それによってプッシュヘッド嵌合部１３２は上方へ移動する。プッシュヘッド嵌合部１３２が上方へ移動する過程においてプッシュヘッド１１０に当接し、その結果、プッシュヘッド１１０もそれと共に上方へ移動して復帰する。ここから分かるように、プレス板１３０が枢動部１３１を中心として枢動することによって、利用者は簡単な操作でプレス板１３０の枢動部１３１の両側における部分に交互に力を加えることができ、それによりプッシュヘッド１１０を容易に復帰させることができる。
【００４２】
［実施例２］
図７は本発明の実施例２のプッシュ式ポンプ２００を示す。以下、実施例２の説明において、簡潔に表現するために、主として、実施例１に含まれていない特徴について説明し、実施例１と同様な技術的特徴についての詳細な説明を省略する。
【００４３】
図７に示すように、プッシュ式ポンプ２００もプッシュヘッド２１０などの可動部分とヘリカルキャップ２２０などの固定部分を含み、プレス板２３０を更に含む。プレス板２３０は枢動部２３１、枢動部２３１の片側におけるプッシュヘッド嵌合部２３２と枢動部２３１の他方側における押圧部２３３を含み、枢動部２３１は例えば、ヘリカルキャップ２２０などの固定部分に設置された支持部材２４０に枢動可能に接続される。
【００４４】
実施例１のプッシュ式ポンプ１００と異なって、実施例２のプッシュ式ポンプ２００におけるプレス板２３０のプッシュヘッド嵌合部２３２はプッシュヘッド２１０の上部に接続され、特にプッシュヘッド２１０の頂部に接続される。
【００４５】
以下、実施例２のプッシュ式ポンプ２００の操作原理を説明する。
【００４６】
プッシュ式ポンプ２００が取り付けられる容器における製品を使用しようとする時、利用者はプレス板２３０のプッシュヘッド嵌合部２３２を押圧して、プッシュヘッド嵌合部２３２を介してプッシュヘッド２１０を押圧することができ、プレス板２３０は枢動部２３１を中心として枢動する。製品を容器から分注した後、利用者はプレス板２３０の押圧部２３３を押圧し、プレス板２３０を、枢動部２３１を中心として逆方向に沿って枢動させることで、枢動部２３１を持ち上げ、それによってプッシュヘッド嵌合部２３２を介してプッシュヘッド２１０を引き上げ、プッシュヘッド２１０を復帰させる。ここから分かるように、プッシュ式ポンプ２００を操作する過程において、利用者は同じ手でプレス板２３０のプッシュヘッド嵌合部２３２と押圧部２３３を交互に押圧することで、プッシュ式ポンプ２００のプッシュヘッド２１０に対する押圧とプッシュヘッド２１０の復帰を実現することができ、操作過程に利用者の手は同じ姿勢を保ってよく、変える必要はない。
【００４７】
［実施例３］
図８〜１５ｂは本発明の実施例３のプッシュ式ポンプ３００を示す。実施例３についての以下の説明において、簡潔に表現するために、主として、実施例１と実施例２に含まれていない特徴について説明し、実施例１と実施例２と同様な技術的特徴についての詳細な説明を省略する。
【００４８】
図８と図９に示すように、本発明の実施例３のプッシュ式ポンプ３００はダブルチャンバーポンプであり、例えば、ダブルチャンバーの容器に用いられる。ダブルチャンバーの容器の構造は図１５ａと１５ｂに示すように、第１容器３５１と第２容器３５２を含み、第１容器３５１と第２容器３５２はいずれも同じベース３５３に嵌合する。当然ながら、第１容器３５１と第２容器３５２は例えば、図示のように、二つの相互に独立した容器であってもよく、一体に形成してベース３５３を省略してもよい。
【００４９】
プッシュ式ポンプ３００はヘリカルキャップ３２０を含み、ヘリカルキャップ３２０には二つのプッシュヘッド、すなわち、第１プッシュヘッド３１１と第２プッシュヘッド３１２が取り付けられる。
【００５０】
図８と９に戻って見ると、実施例３のプッシュ式ポンプ３００はプレス板３３０を更に含み、プレス板３３０は第１プッシュヘッド３１１と第２プッシュヘッド３１２に接続され、第１プッシュヘッド３１１と第２プッシュヘッド３１２を交互に押圧するの用いられる。
【００５１】
図１１ａと１１ｂはそれぞれプレス板３３０の断面図と斜視図を示す。図から分かるように、プレス板３３０は枢動部３３１を含み、枢動部３３１の両側はそれぞれ第１プッシュヘッド嵌合部３３２と第２プッシュヘッド嵌合部３３３であり、第１プッシュヘッド嵌合部３３２には第１プッシュヘッド３１１に接続するための第１接続点３３４が設置され、第２プッシュヘッド嵌合部３３３には第２プッシュヘッド３１２に接続されるための第２接続点３３５が設置される。
【００５２】
図１２ａと１２ｂは第１プッシュヘッド３１１の構造を示し、第１プッシュヘッド３１１の本体の頂部にはプレス板接続部が形成され、例えば、図に示される構造において、該プレス板接続部が支持ロッド３１３であり、支持ロッド３１３の頂部には略水平に延在する二つのボスが形成される。それに合わせて、プレス板３３０の第１接続点３３４は二つの対向するように設置される接続リング（図１１ｂを参照）を含み、支持ロッド３１３の二つのボスはそれぞれこの二つの接続リングに嵌合する。
【００５３】
第２プッシュヘッド３１２の形状は図１２ａと１２ｂに示す第１プッシュヘッド３１１の形状と同じであってよいが、図に示す支持ロッド３１３を除いて第１プッシュヘッド３１１と異なった形状を有してもよい。
【００５４】
実施例３のプッシュ式ポンプ３００において、留め具３４０が更に設置され、図１３は留め具３４０の構造を示す。図８に示す状態において、留め具３４０は第１プッシュヘッド３１１のネック部に係止されることによって、第１プッシュヘッド３１１を押下することを阻止する。当然ながら、留め具３４０は第２プッシュヘッド３１２を押下することを阻止するように、第２プッシュヘッド３１２に係止されてもよい。更に、留め具３４０は更に、第１プッシュヘッド３１１と第２プッシュヘッド３１２に同時に係止可能な両側式留め具であってもよい。
【００５５】
図１４ａと１４ｂは実施例３のプッシュ式ポンプ３００のヘリカルキャップ３２０の構造を示す。図に示すように、ヘリカルキャップ３２０はヘリカルキャップ本体３２１を含み、ヘリカルキャップ本体３２１の頂部には二つの取り付け孔３２２が設置され、それぞれ第１プッシュヘッド３１１と第２プッシュヘッド３１２を受ける。図１０に示すように、二つの取り付け孔３２２の下方にはそれぞれ吸引管３６１と３６２が接続され、この２本の吸引管３６１、３６２はそれぞれ容器を構成する二つのチャンバーの第１容器３５１と第２容器３５２内に挿入される。
【００５６】
また、二つの取り付け孔３２２の間には、支持ロッド形状をなす支点部３２３が更に形成される。プレス板３３０の枢動部３３１は支点部３２３に枢動可能に接続される。
【００５７】
以下、実施例３のプッシュ式ポンプ３００の操作原理を説明する。
【００５８】
利用者は容器に収容される製品を使用しようとする時、まず第１プッシュヘッド３１１及び／又は第２プッシュヘッド３１２に係止される留め具３４０を取り外す。続いて、利用者は手をプレス板３３０に置いてもよい。第１容器３５１における製品を取る場合、利用者はプレス板３３０の第１プッシュヘッド嵌合部３３２を下方へ押圧し、第１プッシュヘッド３１１を下方へ移動させることによって、第１容器３５１における製品をポンピングする。第１プッシュヘッド嵌合部３３２を下方へ押圧する過程において、プレス板３３０は枢動部３３１を中心として枢動することによって、第２プッシュヘッド嵌合部３３３は同時に上方へ移動する。
【００５９】
第１容器３５１における製品のポンピングを完了した後、利用者はプレス板３３０の第２プッシュヘッド嵌合部３３３を下方へ押圧して、第２プッシュヘッド３１２を下方へ移動させることによって、第２容器３５２における製品をポンピングすることができる。この過程において、プレス板３３０は枢動部３３１を中心として逆方向に沿って枢動することで、第１プッシュヘッド嵌合部３３２は上方へ移動し、それによって第１プッシュヘッド嵌合部３３２の復帰を実現する。
【００６０】
上記構造を備えるダブルチャンバー型のプッシュ式ポンプ３００について、第１プッシュヘッド３１１と第２プッシュヘッド３１２の押下ストロークはプレス板３３０により互いに関連づけられる。例えば、枢動部３３１は第１接続点３３４と第２接続点３３５の間における中間点位置にある時、第１プッシュヘッド３１１と第２プッシュヘッド３１２の押下ストロークは基本的に同じであるため、第１容器３５１からポンピングされる製品の量は第２容器３５２からポンピングされる製品の量と同じである。
【００６１】
上記ダブルチャンバー型のプッシュ式ポンプ３００について、プッシュ式ポンプ３００が取り付けられるダブルチャンバー容器には同じ製品が収容されてもよく、２種類の異なる製品を収容してもよく、例えば、左側はシャンプーが収容され、右側はコンディショナーが収容され、又は二つのチャンバーには、貯蔵時に混合不可であるが使用時に混合する必要がある２種類の製品が収容されてよい。
【００６２】
例えば、２種類の異なる製品を収容する場合に、第１容器３５１からポンピングされる製品の量が第２容器３５２からポンピングされる製品の量と異なる必要があり、両者の間は一定の比率関係にある場合、当該比率関係に基づいて枢動部３３１から第１接続点３３４までの距離と枢動部３３１から第２接続点３３５までの距離の間の比率関係を設定してよい。
【００６３】
［実施例４］
図１６ａ〜１７ｂは本発明の実施例４のプッシュ式ポンプ４００を示す。実施例４についての以下の説明において、簡潔に表現するために、主として、実施例１〜実施例３に含まれていない特徴について説明し、実施例１〜実施例３と同様な技術的特徴についての詳細な説明を省略する。
【００６４】
実施例３と同様に、実施例４のプッシュ式ポンプ４００もダブルチャンバーポンプであり、ヘリカルキャップ４２０を含み、ヘリカルキャップ４２０には第１プッシュヘッド４１１と第２プッシュヘッド４１２が取り付けられる。図１６ａと図１６ｂに示すように、実施例３と異なって、プッシュ式ポンプ４００のプレス板４３０は更に留め具として使用され、第１プッシュヘッド４１１と第２プッシュヘッド４１２に係止されてよく、それによって第１プッシュヘッド４１１と第２プッシュヘッド４１２を押下することを阻止する。
【００６５】
図１７ａと１７ｂは実施例４のプッシュ式ポンプ４００におけるプレス板４３０の具体的な構成を示す。図に示すように、実施例３と同じで、プレス板４３０は枢動部４３１を含み、枢動部４３１の両側はそれぞれ第１プッシュヘッド嵌合部４３２と第２プッシュヘッド嵌合部４３３である。これに加え、第１プッシュヘッド嵌合部４３２には第１係合部４３６が更に設置され、第２プッシュヘッド嵌合部４３３には第２係合部４３７が設置される。プッシュ式ポンプ４００を使用した後、プレス板４３０を第１プッシュヘッド４１１と第２プッシュヘッド４１２の頂部における支持ロッド４１３から取外し、プレス板４３０を第１プッシュヘッド４１１と第２プッシュヘッド４１２のネック部に係合してよく、具体的には、第１係合部４３６は第１プッシュヘッド４１１に係止され、第２係合部４３７は第２プッシュヘッド４１２に係止され、それにより、第１プッシュヘッド４１１と第２プッシュヘッド４１２を押下することを阻止する。
【００６６】
［実施例５］
図１８〜２２ｂは本発明の実施例５のプッシュ式ポンプ５００を示す。実施例５についての以下の説明において、簡潔に表現するために、主として、実施例１〜実施例４に含まれていない特徴について説明し、実施例１〜実施例４と同様な技術的特徴についての詳細な説明を省略する。
【００６７】
実施例５のプッシュ式ポンプ５００もダブルチャンバーポンプであり、ヘリカルキャップ５２０とヘリカルキャップ５２０に取り付けられた第１プッシュヘッド５１１と第２プッシュヘッド５１２を含む。第１プッシュヘッド５１１には第１ピストンロッド５４１が接続され、第２プッシュヘッド５１２には第２ピストンロッド５４２が接続され、第１プッシュヘッド５１１と第２プッシュヘッド５１２の間にはリンク５３０が取り付けられる。
【００６８】
図２０ａと図２０ｂに示すように、リンク５３０の略中間位置には枢動部５３１が設置され、取り付け済みの状態で、リンク５３０は枢動部５３１を中心として枢動することができる。リンク５３０の両端にはそれぞれ少なくとも一つの開口５３２が形成され、リンク５３０の両端は開口５３２を介してそれぞれ第１プッシュヘッド５１１と第２プッシュヘッド５１２に接続され、第１プッシュヘッド５１１の第１ピストンロッド５４１と第２プッシュヘッド５１２の第２ピストンロッド５４２に接続されるとも言える。図２０ａと図２０ｂに示す好ましい構造において、リンク５３０の両端にはそれぞれ二つの並列に設置された開口５３２が形成され、それによってリンク５３０には合計４つの開口５３２が形成される。
【００６９】
第１ピストンロッド５４１と第２ピストンロッド５４２のそれぞれの外周壁には少なくとも一つのボス５４３が形成され、好ましくは、図２１ａと図２１ｂに示すように、第１ピストンロッド５４１と第２ピストンロッド５４２のそれぞれの外周壁には二つのボス５４３が形成され、この二つのボス５４３は、リンク５３０の一端における二つの開口５３２にそれぞれ嵌合可能に設置される。
【００７０】
図２２ａと２２ｂは実施例５のプッシュ式ポンプ５００のヘリカルキャップ５２０の構造を示す。ヘリカルキャップ５２０はヘリカルキャップ本体５２１を含み、ヘリカルキャップ本体５２１の頂部には二つの取り付け孔５２２が形成され、それぞれ第１プッシュヘッド５１１と第２プッシュヘッド５１２を取り付けるために用いられる。この二つの取り付け孔５２２の間には支持ロッド５２３が設置され、支持ロッド５２３の形状、特に支持ロッド５２３の頂部の形状は、リンク５３０の枢動部５３１の形状に合わせることによって、枢動部５３１は支持ロッド５２３に支持可能となり、リンク５３０は枢動部５３１を中心として枢動可能である。
【００７１】
支持ロッド５２３がリンク５３０の枢動部５３１を安定して支持できるように、図２２ｂに示すように、ヘリカルキャップ５２０には、互いに一定の距離だけ離間する二本の支持ロッド５２３を設置することが好ましい。又は、リンク５３０を安定して支持するという要件を満たすために、支持ロッド５２３を一定の厚さに設けてもよい。
【００７２】
以下、実施例５のプッシュ式ポンプ５００の操作原理を説明する。
【００７３】
ダブルチャンバーの容器における製品を分注する時、まず二つのプッシュヘッドのうち一つを押下し、例えば、まず第１プッシュヘッド５１１を押下し、第１プッシュヘッド５１１は下方へ移動するに伴い、第１プッシュヘッド５１１に接続される第１ピストンロッド５４１も下方へ移動し、リンク５３０の第１プッシュヘッド５１１側に接続される端部が下方へ移動するように駆動する。この時、リンク５３０は支持ロッド５２３による支持作用下で枢動部５３１を中心として枢動して、リンク５３０の第２プッシュヘッド５１２側に接続される他方の端部を上方へ移動させ、第２プッシュヘッド５１２と第２プッシュヘッド５１２に接続される第２ピストンロッド５４２を上方へ移動させ、第１プッシュヘッド５１１はそのストロークの下死点に到達する時、第２プッシュヘッド５１２もそのストロークの上死点に到達し、それによって第２プッシュヘッド５１２を復帰させる。
【００７４】
次に、利用者は第２プッシュヘッド５１２を押圧して容器の他のチャンバー内の製品を得る。第２プッシュヘッド５１２は下方へ移動することに伴い、リンク５３０は枢動部５３１を中心としてその前に第１プッシュヘッド５１１を押下した時と反対する方向に沿って枢動し、それにより第１プッシュヘッド５１１を上方へ移動させる。このようにして、第２プッシュヘッド５１２はそのストロークの下死点に到達する時、第１プッシュヘッド５１１はそのストロークの上死点に到達し、それによって第１プッシュヘッド５１１を復帰させる。
【００７５】
［実施例６］
図２３ａ〜２８ｂは本発明の実施例６のプッシュ式ポンプ６００を示す。実施例６についての以下の説明において、簡潔に表現するために、主として、実施例１〜実施例５に含まれていない特徴について説明し、実施例１〜実施例５と同様な技術的特徴についての詳細な説明を省略する。
【００７６】
実施例６のプッシュ式ポンプ６００もダブルチャンバーポンプであり、ヘリカルキャップ６２０とヘリカルキャップ６２０に取り付けられる第１プッシュヘッド６１１と第２プッシュヘッド６１２を含み、第１プッシュヘッド６１１には第１ピストンロッド６４１が接続され、第２プッシュヘッド６１２には第２ピストンロッド６４２が接続される。
【００７７】
前記実施例と異なって、実施例６のプッシュ式ポンプ６００には第１プッシュヘッド６１１と第２プッシュヘッド６１２の間の連動装置として歯車列６３０が設置される。具体的には、図２３ａ〜２４に示されるように、歯車列６３０は歯車６３１を含み、歯車６３１はヘリカルキャップ６２０のヘリカルキャップ本体６２１の頂部に設置された歯車取り付け部６２３に取り付けられる（図２８ａと２８ｂを参照）。
【００７８】
歯車列６３０は第１ピストンロッド６４１に形成される第１ラック６３２及び第２ピストンロッド６４２に形成される第２ラック６３３を更に含む。図２６ａ〜２６ｃにおいて、第１ピストンロッド６４１を例としてその構造を示し、第２ピストンロッド６４２の構造は第１ピストンロッド６４１とほぼ同じである。第１ラック６３２と第２ラック６３３は、図２３ａと図２３ｂに示されるように、取り付け状態で、第１ラック６３２と第２ラック６３３がそれぞれ歯車６３１の両側において歯車６３１に噛み合うように設置される。
【００７９】
図２８ａと２８ｂはヘリカルキャップ６２０の構造を示し、ここで、ヘリカルキャップ６２０のヘリカルキャップ本体６２１の頂部にはそれぞれ第１プッシュヘッド６１１と第２プッシュヘッド６１２を受けるために用いられる二つの取り付け孔６２２が設置される。この二つの取り付け孔６２２の間には歯車取り付け部６２３が設置され、歯車６３１は歯車取り付け部６２３に回転可能に取り付けられる。
【００８０】
本発明の実施例６において、好ましくは、プッシュ式ポンプ６００を被覆するポンプハウジング６５０を更に含み、例えば、貯蔵及び輸送などの過程において、ポンプハウジング６５０はプッシュ式ポンプ６００を保護するという役割を果たす。図２７ａと２７ｂはポンプハウジング６５０の具体的な構成を示す。図から分かるように、好ましくは、ポンプハウジング６５０は略階段状を呈し、その頂部は比較的高い上面６５１と比較的低い上面６５２を有する。比較的高い上面６５１の高さは第１プッシュヘッド６１１と第２プッシュヘッド６１２のうちの一つのストロークの上死点に対応し、比較的低い上面６５２の高さは第１プッシュヘッド６１１と第２プッシュヘッド６１２のうちの他の一つのストロークの下死点に対応する。これによって、ポンプハウジング６５０を容器に圧着してプッシュ式ポンプ６００を覆う時、第１プッシュヘッド６１１と第２プッシュヘッド６１２のうちの一つを上死点位置に固定し、第１プッシュヘッド６１１と第２プッシュヘッド６１２のうち残りの一つを下死点位置に固定する。このようにして、従来技術におけるプッシュ式ポンプ６００の上位シールと下位シールの設計に合わせて、貯蔵及び輸送の過程におけるプッシュ式ポンプ６００のロックと密閉を保って、製品の漏洩を回避することができる。
【００８１】
以下、実施例６のプッシュ式ポンプ６００の操作原理を説明する。
【００８２】
使用過程に、利用者は第１プッシュヘッド６１１と第２プッシュヘッド６１２のうちの一つを押圧する。例えば、第１プッシュヘッド６１１を押圧し、第１プッシュヘッド６１１を下方へ移動させ、更に第１プッシュヘッド６１１に接続される第１ピストンロッド６４１も下方へ移動させ、この過程において、第１ピストンロッド６４１における第１ラック６３２が歯車６３１に噛み合うことによって、歯車６３１を回転させ、歯車６３１の回転は、また歯車６３１が第２ピストンロッド６４２における第２ラック６３３に噛み合うことによって、第２ピストンロッド６４２及び第２プッシュヘッド６１２を上方へ移動させる。第１プッシュヘッド６１１がストロークの下死点まで押下される時、第２プッシュヘッド６１２はそのストロークの上死点に到達し、これによって第２プッシュヘッド６１２を復帰させる。
【００８３】
次に、利用者は第１プッシュヘッド６１１と第２プッシュヘッド６１２のうちの残りの一つ、例えば、第２プッシュヘッド６１２を押圧することで、第２プッシュヘッド６１２及び第２プッシュヘッド６１２に接続される第２ピストンロッド６４２を下方へ移動させることができる。第２ピストンロッド６４２における第２ラック６３３と歯車６３１との噛み合い及び歯車６３１と第１ピストンロッド６４１における第１ラック６３２との噛み合いによって、第２プッシュヘッド６１２と第２ピストンロッド６４２の下方への移動は第１プッシュヘッド６１１と第１ピストンロッド６４１の上方への移動に変換する。第２プッシュヘッド６１２はそのストロークの下死点に到達する時、第１プッシュヘッド６１１はそのストロークの上死点に到達し、これによって第１プッシュヘッド６１１の復帰を実現する。
【００８４】
［実施例７］
図２９〜３５ｂは本発明の実施例７のプッシュ式ポンプ７００及び実施例７の２種類の変形例であるプッシュ式ポンプ７００’と７００’’を示す。以下、実施例７の説明において、簡潔に表現するために、主として実施例１〜実施例６に含まれていない特徴について説明し、実施例１〜実施例６と同様な技術的特徴についての詳細な説明を省略する。
【００８５】
図２９に示される実施例７のプッシュ式ポンプ７００はダブルチャンバーポンプであり、第１プッシュヘッド７１１と第２プッシュヘッド７１２を含む。実施例７では、一体型のヘリカルキャップの代わりに、二つの相互に独立したヘリカルキャップを含む。図に示されるように、第１プッシュヘッド７１１は第１ヘリカルキャップ７２１に取り付けられ、第２プッシュヘッド７１２は第２ヘリカルキャップ７２２に取り付けられる。それに合わせて、容器７５０にはそれぞれ第１ヘリカルキャップ７２１と第２ヘリカルキャップ７２２を取り付けるために用いられる二つの接続用ネック部が設置される。
【００８６】
更に、図２９に示されるプッシュ式ポンプ７００において、プレス板７３０を支持することでプレス板７３０を枢動させるための支点部７４０はヘリカルキャップに直接的に形成される代わりに、第１ヘリカルキャップ７２１、第２ヘリカルキャップ７２２と容器７５０の間にクランプされる。あるいは、支点部７４０は、図３０に示されるように、容器７５０に一体的に形成されてもよい。
【００８７】
支点部７４０は更に、図３１〜３２ｂに示されるように、折り畳み可能な構造として形成してよい。図３２ａ〜３２ｃはそれぞれ支点部７４０を示す斜視図、折り畳み状態にある正面図及び展開状態にある正面図である。
【００８８】
図３２ａ〜３２ｃに示されるように、支点部７４０のロッド部分は第１セグメント７４１と第２セグメント７４２を含み、第１セグメント７４１は第１位置と第２位置の間で移動することができ、第１位置において、第１セグメント７４１は第２セグメント７４２に折り畳まれ（図３２ｂ）、第２位置において、第１セグメント７４１が展開し、第２セグメント７４２と一直線状となる（図３２ｃ）。
【００８９】
折り畳み式の支点部７４０について、製品の容器が輸送される場合、第１セグメント７４１を第１位置に置くことで、支点部７４０が折り畳み状態になり、しかもプッシュ式ポンプ７００の第１プッシュヘッド７１１と第２プッシュヘッド７１２はいずれも下位状態（図３１を参照）にあるため、貯蔵及び輸送を容易にする。初めて使用する時、使用者は手動で第１プッシュヘッド７１１と第２プッシュヘッド７１２を引き上げ、第１セグメント７４１を第２位置に枢動させることで、支点部７４０を展開状態に移行させ、プレス板７３０における枢動部を支持し、例えば、支点部７４０をプレス板７３０の枢動部に係合した後、プッシュ式ポンプ７００を押圧して使用することができる。
【００９０】
なお、上記の折り畳み可能に構成される支点部７４０は例えば、実施例３の一体型ヘリカルキャップの場合にも適用されてよい。
【００９１】
図３３と３４は実施例７に基づく変形例を示し、図３３に示されるように、プッシュ式ポンプ７００’は単一チャンバーポンプであり、プッシュヘッド７１０’とヘリカルキャップ７２０’を含み、プッシュヘッド７１０’にはプレス板７３０’が取り付けられる。また、支点部７４０’はヘリカルキャップ７２０’と容器７５０’の間にクランプされて固定され、支点部７４０’の上端はプレス板７３０’における枢動部に接続され、プレス板７３０’の枢動を可能にする。
【００９２】
または、図３４に示されるように、支点部７４０’は容器７５０’に一体に形成されてもよい。
【００９３】
図３５ａと３５ｂは実施例７に基づく別の変形例を示す。図３５ａと図３５ｂに示されるように、プッシュ式ポンプ７００’’も単一チャンバーポンプであり、プッシュヘッド７１０’’とヘリカルキャップ７２０’’を含む。支点部７４０’’はヘリカルキャップ７２０’’と容器７５０’’の間にクランプされ、支点部７４０’’のロッド部分は折り畳み可能であり、第１セグメント７４１’’と第２セグメント７４２’’を含む。貯蔵及び輸送の過程に、支点部７４０’’が折り畳み状態にあり、この時、プッシュヘッド７１０’’は押下位置にあり、貯蔵及び輸送を容易に行うことができ（図３５ｂ）、初めて使用する時、支点部７４０’’を展開状態にし、プレス板７３０’’の枢動部に接続させ、プレス板７３０’’の枢動を可能にする。
【００９４】
当然ながら、図３５ａと図３５ｂに示されるプッシュ式ポンプ７００’’における支点部７４０’’は容器７５０’’に一体的に形成されてもよい。
【００９５】
［実施例８］
図３６ａ〜３７ｂは本発明の実施例８のプッシュ式ポンプ８００を示す。実施例８についての以下の説明において、簡潔に表現するために、主として実施例１〜７に含まれていない特徴について説明し、実施例１〜７と同様な技術的特徴についての詳細な説明を省略する。
【００９６】
図３６ａと図３６ｂに示されるように、プッシュ式ポンプ８００はダブルチャンバーポンプであり、第１プッシュヘッド８１１と第２プッシュヘッド８１２を含み、第１プッシュヘッド８１１は第１ヘリカルキャップ８２１に接続され、第２プッシュヘッド８１２は第２ヘリカルキャップ８２２に接続される。プッシュ式ポンプ８００が取り付けられた容器８５０にはそれぞれ第１ヘリカルキャップ８２１と第２ヘリカルキャップ８２２を取り付けるために用いられる二つのネック部が設置される。第１プッシュヘッド８１１と第２プッシュヘッド８１２にはプレス板８３０が接続され、プレス板８３０は支点部８４０に支持され、支点部８４０の頂点を中心として枢動してよい。支点部８４０は第１ヘリカルキャップ８２１、第２ヘリカルキャップ８２２と容器８５０の間にクランプされて固定される。
【００９７】
実施例８において、支点部８４０は一方向に伸縮可能な構造である。この一方向伸縮機構は図３７ａと３７ｂを具体的に参照してよい。支点部８４０はスリーブ８４１とラチェットロッド８４２を含み、ラチェットロッド８４２の一端はプレス板８３０に接続され、他端はラチェット８４３を含み、スリーブ８４１に摺動可能に収容される。貯蔵及び輸送の過程において、ラチェットロッド８４２はスリーブ８４１に収縮することで、プッシュ式ポンプ８００の第１プッシュヘッド８１１と第２プッシュヘッド８１２は図３６ａに示される押下位置にあることを可能にする。初めて使用する時、使用者はプレス板８３０を引き上げて、ラチェットロッド８４２のラチェット８４３がスリーブ８４１の頂部を越えてスリーブ８４１の頂部に係合されるまでラチェットロッド８４２もそれと共に上方へ移動する。ラチェットの作用で、ラチェットロッド８４２が下方へ戻ることが止められ、それによって、支点部８４０が伸張状態に固定され、この時、使用者は正常にエマルションポンプを押圧して使用してよい。
【００９８】
なお、上記の伸縮可能な構造の支点部８４０は例えば、実施例３の一体型ヘリカルキャップの場合にも適用されてよい。
【００９９】
［実施例９］
図３８ａ〜４０ｄは本発明の実施例９のプッシュ式ポンプ９００を示す。実施例についての以下の説明において、簡潔に表現するために、主として実施例１〜実施例８に含まれていない特徴について説明し、実施例１〜実施例８と同様な技術的特徴についての詳細な説明を省略する。
【０１００】
図３８ａと図３８ｂに示されるように、実施例９のプッシュ式ポンプ９００はプッシュヘッド９１０を含み、プッシュヘッド９１０はヘリカルキャップ９２０に取り付けられ、プッシュヘッド９１０とヘリカルキャップ９２０の間には回転復帰部材９３０が設置される。
【０１０１】
図３９ａ〜３９ｃは異なる視角から回転復帰部材９３０を見たそれぞれの図である。図から分かるように、回転復帰部材９３０は操作部９３１及び回転復帰部材９３０の本体から下方へ懸架される少なくとも一つの（図には二つのものが示されている）当接部９３２を含み、当接部９３２の自由端には傾斜面９３３が形成される。
【０１０２】
それに合わせて、図４０ａ〜４０ｄに示されるように、ヘリカルキャップ９２０のネック部には係合用傾斜面９２１が形成され、係合用傾斜面９２１は回転復帰部材９３０の当接部９３２における傾斜面９３３の形状に合わせる。
【０１０３】
使用者はプッシュ式ポンプ９００のプッシュヘッド９１０を押圧する時、プッシュヘッド９１０は下方へ移動し、回転復帰部材９３０もプッシュヘッド９１０と共に下方へ移動し、それと同時に、傾斜面９３３と係合用傾斜面９２１との係合によって、回転復帰部材９３０がガイドされて一つの方向に沿って回転する。容器における製品を１回分注した後、使用者は操作部９３１を逆方向に向けて回転させるように回転復帰部材９３０の操作部９３１を操作することができ、この時、傾斜面９３３と係合用傾斜面９２１との係合の作用で回転復帰部材９３０は上方へ移動して、プッシュヘッド９１０を上方へ持ち上げることによって、プッシュヘッド９１０を復帰させる。
【０１０４】
又は、回転復帰部材９３０は、回転復帰部材９３０を回転させることでプッシュヘッド９１０を復帰させる時、その当接部９３２がヘリカルキャップ９２０の傾斜面９３３の最高点９２２を越えてから停止するように回転復帰部材９３０を回転させるように設置されてよい。よって、次回プッシュヘッド９１０を押圧する時、回転復帰部材９３０が回転せず、プッシュヘッド９１０と共に直接的に下方へ移動する。続いて、その前と同様な方向に沿って回転復帰部材９３０を回転させて、プッシュヘッド９１０を復帰させる。この場合、回転復帰部材９３０の内径をヘリカルキャップ９２０のネック部の外径よりも大きく設置してもよい。この時、復帰操作中、回転復帰部材９３０の当接部９３２は傾斜面９３３の最高点９２２を越えた後、回転復帰部材９３０は自動的にその下位に落下する。
【０１０５】
［実施例１０］
図４１ａと４１ｂは本発明の実施例１０のトリガー式ポンプ１０００を示す。実施例１０ついての以下の説明において、簡潔に表現するために、主として実施例１〜実施例９に含まれていない特徴について説明し、実施例１〜実施例９と同様な技術的特徴についての詳細な説明を省略する。
【０１０６】
図４１ａと４１ｂに示されるように、実施例１０のポンプはトリガー式ポンプ１０００であり、略水平方向に沿って延伸するシリンダー１０５０を含み、シリンダー１０５０においてピストンを備えるピストンロッド１０４０を往復動可能に収容する。トリガー１０１０の第１端はピストンロッド１０４０に接続され、第２端は自由端である。トリガー式ポンプ１０００に更に支点部１０２０を設置し、支点部１０２０はトリガー式ポンプ１０００の固定部に固定形成され、例えば、ヘリカルキャップ１０３０又はシリンダー１０５０などに形成されてよい。トリガー１０１０は第１端と第２端の間における中間点１０１１において支点部１０２０に接続され、トリガー１０１０は中間点１０１１を中心として回転してよい。
【０１０７】
図４１ａに示されるように、使用者はトリガー１０１０の中間点１０１１と第１端との間における部分を押圧した時、ピストンロッド１０４０はシリンダー１０５０の内部に向けて摺動するため、製品をポンピングする。続いて、図４１ｂに示されるように、ピストンロッド１０４０を復帰させる場合、使用者はトリガー１０１０の中間点１０１１と第２端の間における部分を押圧して、トリガー１０１０をその中間点１０１１を中心として枢動させることで、ピストンロッド１０４０を復帰させることができる。
【０１０８】
ここからわかるように、実施例１０において、トリガー１０１０で復帰機構の伝動部分を構成し、具体的には、トリガー１０１０の中間点１０１１と第２端の間における部分は該復帰機構の伝動部分である。
【０１０９】
好ましくは、支点部１０２０には、図４１ａと４１ｂに示される支点部１０２０の本体から斜めに張り出した部分のようなストッパー１０２１を更に設置してよい。トリガー式ポンプ１０００のピストンロッド１０４０を復帰させる過程において、トリガー１０１０はストッパー１０２１に当接した時、トリガー１０１０は枢動を停止し、この時ピストンロッド１０４０は復帰位置に到達し、次回の製品ポンピングに備える。
【符号の説明】
【０１１０】
１              スプリングレスプッシュ式ポンプ
１’            スプリングレスプッシュ式ポンプ
１０            プッシュヘッド
１０’          プッシュヘッド
１１            突片
２０            ピストンロッド
３０            ヘリカルキャップ
４０            シリンダー
１００          プッシュ式ポンプ
１１０          プッシュヘッド
１１１          プッシュヘッドネック部
１２０          ヘリカルキャップ
１３０          プレス板
１３１          枢動部
１３２          プッシュヘッド嵌合部
１３３          押圧部
１４０          支持部材
１４１          支点部
１４２          固定部
１５０          ピストンロッド
１６０          シリンダーヘッド
２００          プッシュ式ポンプ
２１０          プッシュヘッド
２２０          ヘリカルキャップ
２３０          プレス板
２３１          枢動部
２３２          プッシュヘッド嵌合部
２３３          押圧部
２４０          支持部材
３００          プッシュ式ポンプ
３１１          第１プッシュヘッド
３１２          第２プッシュヘッド
３１３          支持ロッド
３２０          ヘリカルキャップ
３２１          ヘリカルキャップ本体
３２２          取り付け孔
３２３          支点部
３３０          プレス板
３３１          枢動部
３３２          第１プッシュヘッド嵌合部
３３３          第２プッシュヘッド嵌合部
３３４          第１接続点
３３５          第２接続点
３４０          留め具
３５１          第１容器
３５２          第２容器
３５３          ベース
３６１          吸引管
３６２          吸引管
４００          プッシュ式ポンプ
４１１          第１プッシュヘッド
４１２          第２プッシュヘッド
４１３          支持ロッド
４２０          ヘリカルキャップ
４３０          プレス板
４３１          枢動部
４３２          第１プッシュヘッド嵌合部
４３３          第２プッシュヘッド嵌合部
４３６          第１係合部
４３７          第２係合部
５００          プッシュ式ポンプ
５１１          第１プッシュヘッド
５１２          第２プッシュヘッド
５２０          ヘリカルキャップ
５２１          ヘリカルキャップ本体
５２２          取り付け孔
５２３          支持ロッド
５３０          リンク
５３１          枢動部
５３２          開口
５４１          第１ピストンロッド
５４２          第２ピストンロッド
５４３          ボス
６００          プッシュ式ポンプ
６１１          第１プッシュヘッド
６１２          第２プッシュヘッド
６２０          ヘリカルキャップ
６２１          ヘリカルキャップ本体
６２２          孔
６２３          歯車取り付け部
６３０          歯車列
６３１          歯車
６３２          第１ラック
６３３          第２ラック
６４１          第１ピストンロッド
６４２          第２ピストンロッド
６５０          ポンプハウジング
６５１          高い上面
６５２          低い上面
７００          プッシュ式ポンプ
７００’        プッシュ式ポンプ
７００’’      プッシュ式ポンプ
７１０          プッシュヘッド
７１０’’      プッシュヘッド
７１１          第１プッシュヘッド
７１２          第２プッシュヘッド
７２０          ヘリカルキャップ
７２０’        ヘリカルキャップ
７２０’’      ヘリカルキャップ
７２１          第１ヘリカルキャップ
７２２          第２ヘリカルキャップ
７３０          プレス板
７３０’        プレス板
７３０’’      プレス板
７４０          支点部
７４０’        支点部
７４０’’      支点部
７４１          第１セグメント
７４１’’      第１セグメント
７４２          第２セグメント
７４２’’      第２セグメント
７５０          容器
７５０’        容器
７５０’’      容器
８００          プッシュ式ポンプ
８１１          第１プッシュヘッド
８１２          第２プッシュヘッド
８２１          第１ヘリカルキャップ
８２２          第２ヘリカルキャップ
８３０          プレス板
８４０          支点部
８４１          スリーブ
８４２          ラチェットロッド
８４３          ラチェット
８５０          容器
９００          プッシュ式ポンプ
９１０          プッシュヘッド
９２０          ヘリカルキャップ
９２１          係合用傾斜面
９２２          最高点
９３０          回転復帰部材
９３１          操作部
９３２          当接部
９３３          傾斜面
１０００        トリガー式ポンプ
１０１０        トリガー
１０１１        中間点
１０２０        支点部
１０２１        ストッパー
１０３０        ヘリカルキャップ
１０４０        ピストンロッド
１０５０        シリンダー
【図１】
2021503425.tif 000003
【図２】
2021503425.tif 000004
【図３】
2021503425.tif 000005
【図４】
2021503425.tif 000006
【図５ａ】
2021503425.tif 000007
【図５ｂ】
2021503425.tif 000008
【図６】
2021503425.tif 000009
【図７】
2021503425.tif 000010
【図８】
2021503425.tif 000011
【図９】
2021503425.tif 000012
【図１０】
2021503425.tif 000013
【図１１ａ】
2021503425.tif 000014
【図１１ｂ】
2021503425.tif 000015
【図１２ａ】
2021503425.tif 000016
【図１２ｂ】
2021503425.tif 000017
【図１３】
2021503425.tif 000018
【図１４ａ】
2021503425.tif 000019
【図１４ｂ】
2021503425.tif 000020
【図１５ａ】
2021503425.tif 000021
【図１５ｂ】
2021503425.tif 000022
【図１６ａ】
2021503425.tif 000023
【図１６ｂ】
2021503425.tif 000024
【図１７ａ】
2021503425.tif 000025
【図１７ｂ】
2021503425.tif 000026
【図１８】
2021503425.tif 000027
【図１９】
2021503425.tif 000028
【図２０ａ】
2021503425.tif 000029
【図２０ｂ】
2021503425.tif 000030
【図２１ａ】
2021503425.tif 000031
【図２１ｂ】
2021503425.tif 000032
【図２２ａ】
2021503425.tif 000033
【図２２ｂ】
2021503425.tif 000034
【図２３ａ】
2021503425.tif 000035
【図２３ｂ】
2021503425.tif 000036
【図２４】
2021503425.tif 000037
【図２５ａ】
2021503425.tif 000038
【図２５ｂ】
2021503425.tif 000039
【図２５ｃ】
2021503425.tif 000040
【図２６ａ】
2021503425.tif 000041
【図２６ｂ】
2021503425.tif 000042
【図２６ｃ】
2021503425.tif 000043
【図２７ａ】
2021503425.tif 000044
【図２７ｂ】
2021503425.tif 000045
【図２８ａ】
2021503425.tif 000046
【図２８ｂ】
2021503425.tif 000047
【図２９】
2021503425.tif 000048
【図３０】
2021503425.tif 000049
【図３１】
2021503425.tif 000050
【図３２ａ】
2021503425.tif 000051
【図３２ｂ】
2021503425.tif 000052
【図３２ｃ】
2021503425.tif 000053
【図３３】
2021503425.tif 000054
【図３４】
2021503425.tif 000055
【図３５ａ】
2021503425.tif 000056
【図３５ｂ】
2021503425.tif 000057
【図３６ａ】
2021503425.tif 000058
【図３６ｂ】
2021503425.tif 000059
【図３７ａ】
2021503425.tif 000060
【図３７ｂ】
2021503425.tif 000061
【図３８ａ】
2021503425.tif 000062
【図３８ｂ】
2021503425.tif 000063
【図３９ａ】
2021503425.tif 000064
【図３９ｂ】
2021503425.tif 000065
【図３９ｃ】
2021503425.tif 000066
【図４０ａ】
2021503425.tif 000067
【図４０ｂ】
2021503425.tif 000068
【図４０ｃ】
2021503425.tif 000069
【図４０ｄ】
2021503425.tif 000070
【図４１ａ】
2021503425.tif 000071
【図４１ｂ】
2021503425.tif 000072
【図４２】
2021503425.tif 000073
【図４３ａ】
2021503425.tif 000074
【図４３ｂ】
2021503425.tif 000075
【図４４ａ】
2021503425.tif 000076
【図４４ｂ】
2021503425.tif 000077
【国際調査報告】
2021503425.tif 000078
2021503425.tif 000079
2021503425.tif 000080
2021503425.tif 000081